【手続補正書】
【提出日】平成31年3月18日(2019.3.18)
【手続補正１】
【補正対象書類名】特許請求の範囲
【補正対象項目名】全文
【補正方法】変更
【補正の内容】
【特許請求の範囲】
【請求項１】
ユーザを識別するユーザ識別情報に、記憶媒体に記憶された記憶媒体を識別する記憶媒体識別情報及び前記ユーザが使用する機器の機能に関する使用可能機能情報を関連付けて記憶する記憶手段と、
前記機器を使用するユーザに対応するユーザ識別情報に、前記機器を使用するユーザが保有する記憶媒体から読み取られた記憶媒体識別情報と、前記使用可能機能情報とを新たに関連付けて前記記憶手段に記憶する更新手段と、
前記更新手段によって記憶された記憶媒体識別情報を前記機器から受信した場合に、該受信した記憶媒体識別情報に基づいて認証処理を行う認証制御手段と、
前記認証処理に用いられた記憶媒体識別情報に基づいて特定されたユーザ識別情報に関連付けられた前記使用可能機能情報から前記機器を使用するユーザが使用可能な機能を特定する特定手段と、
を有することを特徴とする管理システム。
【請求項２】
前記更新手段は、前記記憶手段において前記記憶媒体識別情報と既に関連付いている前記ユーザ識別情報に対し、新たな記憶媒体識別情報を追加で関連付けて前記記憶手段に記憶し、
前記特定手段は、前記認証処理に用いられた記憶媒体識別情報が、前記既に関連付いていた記憶媒体識別情報及び前記追加で関連付けられた新たな記憶媒体識別情報のいずれの記憶媒体識別情報であっても、同じ前記使用可能な機能を特定すること、
を特徴とする請求項１に記載の管理システム。
【請求項３】
前記機器を使用するユーザが保有する記憶媒体は、多用途共通カード技術方式を用いた記憶媒体であることを特徴とする請求項１又は２に記載の管理システム。
【請求項４】
前記認証制御手段は、ＩＣカード、ＩＣチップを備えた定期券、及び携帯端末のいずれかの記憶媒体から取得された記憶媒体識別情報を前記機器から受信した場合に、該受信した記憶媒体識別情報に基づいて認証処理を行うことを特徴とする請求項１乃至３のいずれか１項に記載の管理システム。
【請求項５】
前記ユーザが使用する機器は画像形成装置であって、前記機器の機能は、スキャナ、複写、ファクシミリまたは印刷の少なくともいずれかの機能であることを特徴とする請求項１乃至４のいずれか１項に記載の管理システム。
【請求項６】
前記管理システムは、前記機器を使用するユーザの認証処理を制御する認証制御装置と前記機器とがネットワークを介して接続されるシステムであることを特徴とする請求項１乃至５のいずれか１項に記載の管理システム。
【請求項７】
ユーザを識別するユーザ識別情報に、記憶媒体に記憶された記憶媒体を識別する記憶媒体識別情報及び前記ユーザが使用する機器の機能に関する使用可能機能情報を関連付けて記憶する記憶手段と、
前記機器を使用するユーザに対応するユーザ識別情報に、前記機器を使用するユーザが保有する記憶媒体から読み取られた記憶媒体識別情報と、前記使用可能機能情報とを新たに関連付けて前記記憶手段に記憶する更新手段と、
前記更新手段によって記憶された記憶媒体識別情報を取得した場合に、該取得した記憶媒体識別情報に基づいて認証処理を行う認証制御手段と、
前記認証処理に用いられた記憶媒体識別情報に基づいて特定されたユーザ識別情報に関連付けられた前記使用可能機能情報から前記機器を使用するユーザが使用可能な機能を特定する特定手段と、
を有することを特徴とする情報処理装置。
【請求項８】
前記情報処理装置は画像形成装置であることを特徴とする請求項７に記載の情報処理装置。
【請求項９】
情報処理装置を用いて情報処理を実行するプログラムであって、
前記情報処理装置を、
ユーザを識別するユーザ識別情報に、記憶媒体に記憶された記憶媒体を識別する記憶媒体識別情報及び前記ユーザが使用する機器の機能に関する使用可能機能情報を関連付けて記憶する記憶手段、
前記機器を使用するユーザに対応するユーザ識別情報に、前記機器を使用するユーザが保有する記憶媒体から読み取られた記憶媒体識別情報と、前記使用可能機能情報とを新たに関連付けて前記記憶手段に記憶する更新手段、
前記更新手段によって記憶された記憶媒体識別情報を取得した場合に、該取得した記憶媒体識別情報に基づいて認証処理を行う認証制御手段、及び
前記認証処理に用いられた記憶媒体識別情報に基づいて特定されたユーザ識別情報に関連付けられた前記使用可能機能情報から前記機器を使用するユーザが使用可能な機能を特定する特定手段、
として機能させることを特徴とする情報処理プログラム。
【請求項１０】
ユーザを識別するユーザ識別情報に、記憶媒体に記憶された記憶媒体を識別する記憶媒体識別情報及び前記ユーザが使用する機器の機能に関する使用可能機能情報を関連付けて記憶する記憶ステップと、
前記機器を使用するユーザに対応するユーザ識別情報に、前記機器を使用するユーザが保有する記憶媒体から読み取られた記憶媒体識別情報と、前記使用可能機能情報とを新たに関連付けて記憶する更新ステップと、
前記更新ステップによって記憶された記憶媒体識別情報を前記機器から受信した場合に、該受信した記憶媒体識別情報に基づいて認証処理を行う認証制御ステップと、
前記認証処理に用いられた記憶媒体識別情報に基づいて特定されたユーザ識別情報に関連付けられた前記使用可能機能情報から前記機器を使用するユーザが使用可能な機能を特定する特定ステップと、
を有することを特徴とする管理方法。
【請求項１１】
ユーザを識別するユーザ識別情報に、記憶媒体に記憶された記憶媒体を識別する記憶媒体識別情報及び前記ユーザが使用する機器の機能に関する使用可能機能情報を関連付けて記憶する記憶ステップと、
前記機器を使用するユーザに対応するユーザ識別情報に、前記機器を使用するユーザが保有する記憶媒体から読み取られた記憶媒体識別情報と、前記使用可能機能情報とを新たに関連付けて記憶する更新ステップと、
前記更新ステップによって記憶された記憶媒体識別情報を取得した場合に、該取得した記憶媒体識別情報に基づいて認証処理を行う認証制御ステップと、
前記認証処理に用いられた記憶媒体識別情報に基づいて特定されたユーザ識別情報に関連付けられた前記使用可能機能情報から前記機器を使用するユーザが使用可能な機能を特定する特定ステップと、
を有することを特徴とする情報処理方法。
【手続補正２】
【補正対象書類名】明細書
【補正対象項目名】発明の名称
【補正方法】変更
【補正の内容】
【発明の名称】管理システム、情報処理装置、情報処理プログラム、管理方法及び情報処理方法
【手続補正３】
【補正対象書類名】明細書
【補正対象項目名】０００１
【補正方法】変更
【補正の内容】
【０００１】
本発明は、管理システム、情報処理装置、情報処理プログラム、管理方法及び情報処理方法に関する。
【手続補正４】
【補正対象書類名】明細書
【補正対象項目名】０００５
【補正方法】変更
【補正の内容】
【０００５】
本発明は、上述の課題に鑑みてなされ、その目的は、複合機等の印刷機能を備える機器の利用において、ＩＣカード等の記憶媒体を用いてセキュリティを維持しながら利便的なユーザ認証ができる管理システム、情報処理装置、情報処理プログラム、管理方法及び情報処理方法を提供することにある。
【手続補正５】
【補正対象書類名】明細書
【補正対象項目名】０００６
【補正方法】変更
【補正の内容】
【０００６】
上記問題点を解決するために、本発明に係る管理システムは、ユーザを識別するユーザ識別情報に、記憶媒体に記憶された記憶媒体を識別する記憶媒体識別情報及び前記ユーザが使用する機器の機能に関する使用可能機能情報を関連付けて記憶する記憶手段と、前記機器を使用するユーザに対応するユーザ識別情報に、前記機器を使用するユーザが保有する記憶媒体から読み取られた記憶媒体識別情報と、前記使用可能機能情報とを新たに関連
付けて前記記憶手段に記憶する更新手段と、前記更新手段によって記憶された記憶媒体識別情報を前記機器から受信した場合に、該受信した記憶媒体識別情報に基づいて認証処理を行う認証制御手段と、前記認証処理に用いられた記憶媒体識別情報に基づいて特定されたユーザ識別情報に関連付けられた前記使用可能機能情報から前記機器を使用するユーザが使用可能な機能を特定する特定手段と、を有することを特徴とする。
【手続補正６】
【補正対象書類名】明細書
【補正対象項目名】０００７
【補正方法】変更
【補正の内容】
【０００７】
本発明に係る情報処理装置は、ユーザを識別するユーザ識別情報に、記憶媒体に記憶された記憶媒体を識別する記憶媒体識別情報及び前記ユーザが使用する機器の機能に関する使用可能機能情報を関連付けて記憶する記憶手段と、前記機器を使用するユーザに対応するユーザ識別情報に、前記機器を使用するユーザが保有する記憶媒体から読み取られた記憶媒体識別情報と、前記使用可能機能情報とを新たに関連付けて前記記憶手段に記憶する更新手段と、前記更新手段によって記憶された記憶媒体識別情報を取得した場合に、該取得した記憶媒体識別情報に基づいて認証処理を行う認証制御手段と、前記認証処理に用いられた記憶媒体識別情報に基づいて特定されたユーザ識別情報に関連付けられた前記使用可能機能情報から前記機器を使用するユーザが使用可能な機能を特定する特定手段と、を有することを特徴とする。
【手続補正７】
【補正対象書類名】明細書
【補正対象項目名】０００８
【補正方法】変更
【補正の内容】
【０００８】
本発明に係る情報処理プログラムは、情報処理装置を用いて情報処理を実行するプログラムであって、前記情報処理装置を、ユーザを識別するユーザ識別情報に、記憶媒体に記憶された記憶媒体を識別する記憶媒体識別情報及び前記ユーザが使用する機器の機能に関する使用可能機能情報を関連付けて記憶する記憶手段、前記機器を使用するユーザに対応するユーザ識別情報に、前記機器を使用するユーザが保有する記憶媒体から読み取られた記憶媒体識別情報と、前記使用可能機能情報とを新たに関連付けて前記記憶手段に記憶する更新手段、前記更新手段によって記憶された記憶媒体識別情報を取得した場合に、該取得した記憶媒体識別情報に基づいて認証処理を行う認証制御手段、及び前記認証処理に用いられた記憶媒体識別情報に基づいて特定されたユーザ識別情報に関連付けられた前記使用可能機能情報から前記機器を使用するユーザが使用可能な機能を特定する特定手段、として機能させることを特徴とする。
また、本発明に係る管理方法は、ユーザを識別するユーザ識別情報に、記憶媒体に記憶された記憶媒体を識別する記憶媒体識別情報及び前記ユーザが使用する機器の機能に関する使用可能機能情報を関連付けて記憶する記憶ステップと、前記機器を使用するユーザに対応するユーザ識別情報に、前記機器を使用するユーザが保有する記憶媒体から読み取られた記憶媒体識別情報と、前記使用可能機能情報とを新たに関連付けて記憶する更新ステップと、前記更新ステップによって記憶された記憶媒体識別情報を前記機器から受信した場合に、該受信した記憶媒体識別情報に基づいて認証処理を行う認証制御ステップと、前記認証処理に用いられた記憶媒体識別情報に基づいて特定されたユーザ識別情報に関連付けられた前記使用可能機能情報から前記機器を使用するユーザが使用可能な機能を特定する特定ステップと、を有することを特徴とする。
更に、本発明に係る情報処理方法は、ユーザを識別するユーザ識別情報に、記憶媒体に記憶された記憶媒体を識別する記憶媒体識別情報及び前記ユーザが使用する機器の機能に
関する使用可能機能情報を関連付けて記憶する記憶ステップと、前記機器を使用するユーザに対応するユーザ識別情報に、前記機器を使用するユーザが保有する記憶媒体から読み取られた記憶媒体識別情報と、前記使用可能機能情報とを新たに関連付けて記憶する更新ステップと、前記更新ステップによって記憶された記憶媒体識別情報を取得した場合に、該取得した記憶媒体識別情報に基づいて認証処理を行う認証制御ステップと、前記認証処理に用いられた記憶媒体識別情報に基づいて特定されたユーザ識別情報に関連付けられた前記使用可能機能情報から前記機器を使用するユーザが使用可能な機能を特定する特定ステップと、を有することを特徴とする。